(57)【要約】【課題】土壌や水の漏洩を防止して、室内の壁面に掛けることを可能にした植栽壁掛けを提供する。【解決手段】壁面Ｆに対向する対向板１１と、壁面Ｆから遠ざかる方向（前方）に延びる側板１２ａ〜１２ｄと、側板１２ａ〜１２ｄの先端に形成されて前方に向けて開口する開口部Ｋと、側板１２の先端から内側に延びて開口部Ｋを狭める縁板１３ａ〜１３ｄとを有し、水密な貯水部Ｂを構成する容器１０と、自己保持性、通気性を有し、周端縁２０ａ〜２０ｄが縁板１２ａ〜１２ｄの裏面側に係止されて開口部Ｋを閉鎖するマット状の表面層２０と、自己保持性、通気性を有し、表面層２０の裏面側に配設されるマット状の裏面層３０と、保水性、通気性を有し、表面層２０と裏面層３０との間に挟持される中間層４０と、を備えている。【選択図】図２
2011087479.tif 000002
【特許請求の範囲】
【請求項１】
壁面に掛けて使用可能な植栽壁掛けにおいて、
箱状に形成されるとともに前記壁面に掛けられた使用状態において、前記壁面に対向する対向板と、基端側が前記対向板の周縁に沿って位置するとともに先端側が前記壁面から遠ざかる方向に延びる側板と、前記側板の先端側に形成された開口部と、前記側板の先端から内側に延びて前記開口部を狭める縁板とを有し、前記対向板と前記側板と前記縁板のうちの少なくとも下部に位置する部分が水密な貯水部を構成する容器と、
自己保持性、通気性を有し、周端縁が前記縁板の裏面側に係止されて前記開口部を閉鎖するマット状の表面層と、
自己保持性、通気性を有し、前記表面層の裏面側に配設されるマット状の裏面層と、
保水性、通気性を有し、前記表面層と前記裏面層との間に挟持される中間層と、を備えた、
ことを特徴とする植栽壁掛け。
【請求項２】
前記表面層は、前記中間層への植物の根の通過を可能とする切り込みを有する、
ことを特徴とする請求項１に記載の植栽壁掛け。
【請求項３】
前記中間層に水を供給する給水チューブを有し、
前記給水チューブは、先端部が閉鎖され、前記中間層に配置される中間部に水を漏洩させるための切り込みが形成され、基端部が前記表面層を貫通して外側に露出されて給水口となる、
ことを特徴とする請求項１又は２に記載の植栽壁掛け。
【請求項４】
前記給水チューブは、前記中間部が、前記中間層における前記植物の根が配置される部分を囲むループ状に配置されるとともに、前記切り込みが、前記ループの内側及び外側に形成されている、
ことを特徴とする請求項３に記載の植栽壁掛け。
【請求項５】
前記容器は、直方体状に形成され、前記側板が、上の側板と下の側板と左の側板と右の側板とによって構成されている、
ことを特徴とする請求項１ないし４のいずれか１項に記載の植栽壁掛け。
【請求項６】
前記表面層と前記裏面層とは、前記上の側板側の折り返し部で連結されていて、２つ折りで配設されている、
ことを特徴とする請求項５に記載の植栽壁掛け。
【請求項７】
前記下の側板の内面側に、前記中間層の下端につながるように、保水性を有する底部層が配設されている、
ことを特徴とする請求項６に記載の植栽壁掛け。
【請求項８】
前記容器は、前記対向板における前記壁面に対面する面に、前記対向板と前記壁面との間隙を確保するスペーサを有する、
ことを特徴とする請求項１ないし７のいずれか１項に記載の植栽壁掛け。
【請求項９】
前記スペーサの一部に、前記壁面に突設された係止具に係合される係合孔を有する、
ことを特徴とする請求項８に記載の植栽壁掛け。
【請求項１０】
前記スペーサは、前記容器を前記開口部が上方を向くように載置面に載置する際に、前記容器を安定的に保持する位置に配置されている、
ことを特徴とする請求項８又は９に記載の植栽壁掛け。
【発明の詳細な説明】
【技術分野】
【０００１】
本発明は、壁面に掛けて使用することができる植栽壁掛けに関する。
【背景技術】
【０００２】
従来、横向きに植物を植えた植栽ブロックが知られている（例えば、特許文献１参照）。
【０００３】
このものは、直方体状に形成されたケースの１つの面に開口部を設け、ケースの内部に、植物の根に養分を供給可能な状態でこの根を保持する保持部材（例えば、芝マット）を挿入し、この保持部材によって根の部分を保持するとともに、植物における根以外の地上に露出すべき部分を開口における保持部材よりも外側に位置するようにしている。そして、ケースを開口部が水平方向（横方向）を向くように配置している。
【０００４】
ここで、ケース内に挿入される保持部材としては、水平に配置した芝マットを複数枚積層させたもののほか、任意のものを利用できるとして、明細書の段落番号００６１には、以下のように記載されている。
「このような保持部材としては、任意のものを利用することができる。具体的には、たとえば、ケース１１の内部に普通の土壌を充填し、その開口１２を適当な蓋材で覆った構成の保持部材を挙げることができる。この場合の蓋材としては、板状体、シート、マット、フィルム、あるいは糸条をクリンプさせて絡み合わせたクリンプ状体などが好適である。具体的には、板状の木材や、ミズゴケや、織布や、不織布や、ヤシ繊維製のマットや、スポンジ製のマットなどを用いることが好適である。ケース１１の内部への充填物としては、天然の土壌のほかに、マット状の人工土壌や、芝以外の植物が土壌内に根を張ることでマット状になったものや、合成樹脂製のマット材などを用いることもできる。このマット材自体が自己保持機能を有すれば、上述の蓋材は不要である。」
【先行技術文献】
【特許文献】
【０００５】
【特許文献１】特開２００８−９２９４２号公報
【発明の概要】
【発明が解決しようとする課題】
【０００６】
しかしながら、特許文献１の植栽ブロックは、室内に置くことを前提としていないため、保持部材として芝マットを使用した場合には、芝の根に保持された土壌が乾燥して開口部から多少なりとも落下するおそれがある。また、水をやると、水とともに土壌が開口部から、あるいはケースの材質によってはケース自体から流出するといったおそれもある。
【０００７】
また、保持部材として、ケースの内側に土壌を充填し、ケースの開口部を蓋材で覆った構成を採用した場合には、蓋材によって開口部からの土壌の落下や流出は防止できたとしても、ケースからの水の漏洩を防止することができない。
【０００８】
このように、特許文献１の植栽ブロックは、植物を横向きに保持することができるので、室外において壁掛けと使用することは可能であるが、土壌や水が漏洩するため、室内の壁掛けとしては使用することができない。
【０００９】
そこで、本発明は、植物を横向きに保持し、土壌や水の漏洩を確実に防止して室内の壁掛けとして使用することを可能にした植栽壁掛けを提供することを目的とするものである。
【課題を解決するための手段】
【００１０】
請求項１に係る発明は、壁面に掛けて使用可能な植栽壁掛けに関する。この発明に係る植栽壁掛けは、箱状に形成されるとともに前記壁面に掛けられた使用状態において、前記壁面に対向する対向板と、基端側が前記対向板の周縁に沿って位置するとともに先端側が前記壁面から遠ざかる方向に延びる側板と、前記側板の先端側に形成された開口部と、前記側板の先端から内側に延びて前記開口部を狭める縁板とを有し、前記対向板と前記側板と前記縁板のうちの少なくとも下部に位置する部分が水密な貯水部を構成する容器と、自己保持性、通気性を有し、周端縁が前記縁板の裏面側に係止されて前記開口部を閉鎖するマット状の表面層と、自己保持性、通気性を有し、前記表面層の裏面側に配設されるマット状の裏面層と、保水性、通気性を有し、前記表面層と前記裏面層との間に挟持される中間層と、を備えた、ことを特徴とする。
【００１１】
請求項２に係る発明は、請求項１に係る植栽壁掛けにおいて、前記表面層は、前記中間層への植物の根の通過を可能とする切り込みを有する、ことを特徴とする。
【００１２】
請求項３に係る発明は、請求項１又は２に係る植栽壁掛けにおいて、前記中間層に水を供給する給水チューブを有し、前記給水チューブは、先端部が閉鎖され、前記中間層に配置される中間部に水を漏洩させるための切り込みが形成され、基端部が前記表面層を貫通して外側に露出されて給水口となる、ことを特徴とする。
【００１３】
請求項４に係る発明は、請求項３に係る植栽壁掛けにおいて、前記給水チューブは、前記中間部が、前記中間層における前記植物の根が配置される部分を囲むループ状に配置されるとともに、前記切り込みが、前記ループの内側及び外側に形成されている、ことを特徴とする。
【００１４】
請求項５に係る発明は、請求項１ないし４のいずれか１項に係る植栽壁掛けにおいて、前記容器は、直方体状に形成され、前記側板が、上の側板と下の側板と左の側板と右の側板とによって構成されている、ことを特徴とする。
【００１５】
請求項６に係る発明は、請求項５に係る植栽壁掛けにおいて、前記表面層と前記裏面層とは、前記上の側板側の折り返し部で連結されていて、２つ折りで配設されている、ことを特徴とする。
【００１６】
請求項７に係る発明は、請求項６に係る植栽壁掛けにおいて、前記下の側板の内面側に、前記中間層の下端につながるように、保水性を有する底部層が配設されている、ことを特徴とする。
【００１７】
請求項８に係る発明は、請求項１ないし７のいずれか１項に係る植栽壁掛けにおいて、前記容器は、前記対向板における前記壁面に対面する面に、前記対向板と前記壁面との間隙を確保するスペーサを有する、ことを特徴とする。
【００１８】
請求項９に係る発明は、請求項８に係る植栽壁掛けにおいて、前記スペーサの一部に、前記壁面に突設された係止具に係合される係合孔を有する、ことを特徴とする。
【００１９】
請求項１０に係る発明は、請求項８又は９に係る植栽壁掛けにおいて、前記スペーサは、前記容器を前記開口部が上方を向くように載置面に載置する際に、前記容器を安定的に保持する位置に配置されている、ことを特徴とする。
【発明の効果】
【００２０】
請求項１の発明によれば、植栽壁掛けは、植物を横向きに保持することができ、さらに、土壌や水の漏洩を確実に防止することができるので、室内の壁面に掛けて使用することができる。すなわち、表面層及び裏面層は、自己保持性（適度に自身の形状を保持することができるとともに、外力による変形が可能な適度な弾性を有している性質をいう。例えば、スポンジのような性質を有している。以下同じ。）を有しているので、これら表面層と裏面層との間に、中間層を挟んだ状態で、表面層の周端縁を容器の縁板の裏面側に係止することにより、全体を、つまり表面層と裏面層と中間層とを、側板の先端側に形成された開口部（横向きの開口部）から脱落しないように保持することができる。なお、横向きの開口部とは、垂直方向の上向きの開口部（縦向きの開口部）に対して、水平方向に開口する開口部をいう。
【００２１】
この状態で、植物を、その根が中間層に位置し、茎が表面層を貫通して葉が横向きの開口部から突出するように配置することで、容器に植物を横向きに植えることができる。
【００２２】
また、植物の根に土が付いている場合でも、土の付いた根を中間層で包むことにより、さらに、中間層を表面層で覆うことにより、土が開口部から落下することがない。
【００２３】
また、根から吸収される水は、保水性を有する中間層に保持させることができる。また、水の量が多くて中間層で保持しきれなくなった場合でも、容器の下部が水密な貯水部となっているので、容器から漏洩することがない。
【００２４】
このように、植栽壁掛けは、土や水の漏洩を確実に防止できるので、室内の壁掛けとすることができる。また、植物の根を囲む表面層，裏面層，中間層はいずれも通気性を有しているので、植物の根に十分空気を供給することができる。
【００２５】
請求項２の発明によれば、表面層に設けた切り込みを通して、植物の根を中間層に配置することができる。
【００２６】
請求項３の発明によれば、チューブの基端部の給水口から水を入れれば、この水を切り込みを介して中間層に供給することができるので、例えば、植栽壁掛けを壁面から取り外すことなく、植物に水を遣ることができる。
【００２７】
請求項４の発明によれば、中間層における根の近傍に水を効率的に供給することができる。
【００２８】
請求項５の発明によれば、容器が直方体状に形成されているので、表面層及び裏面層を容器の形状に応じた矩形にすることができ、例えば、表面層や裏面層を大きなものから切り出す際に、無駄が出ない。
【００２９】
請求項６の発明によれば、表面層と裏面層とは、上の側板側に設けた折り返し部で連結されて、２つ折りで配設されているので、両者が２枚に分割されている場合と比較して、容器内にセットされている表面層を容器外に引きだす際に、適度な抵抗となるため、突然全体が引き出されるようなことがない。また、下の側板側が連結されている場合と比較して、表面層を容器内に詰め込み際に、連結された上側から順に下側に向かって押し込むことができるため、作業性を向上させることができる。
【００３０】
請求項７の発明によれば、下の側板の内面は、貯水部に相当するので、ここに、中間層と同様の性質を有する底部層を配設することで、貯水部に溜まった水を底部層に保持することができる。このため、植栽壁掛けを壁面から外したり壁面に掛けたりする際に、植栽壁掛けが傾斜した場合でも、水が漏洩することがない。また、例えば、折返し部が下の側板側にある場合に中間層と底部層とが折返し部によって上下に分断されるのとは異なり、中間層の下端と底部層とをつなげることができるので、底部層に保持した水を中間層に供給することができる。
【００３１】
請求項８の発明によれば、スペーサによって、容器の対向板と壁面との間に間隙を形成することができるので、両者間に結露が発生して壁面を汚したり、室内温度とは必ずしも一致しない壁面からの熱が不要に容器に伝達されて植物に悪影響を与えたりすることを防止できる。このため、植物の温度管理を室温の調整で行うことが可能となる。
【００３２】
請求項９の発明によれば、係合孔を設けるためのブラケット等を別個に設ける必要がなく、部品点数を減らすことができる。
【００３３】
請求項１０の発明によれば、スペーサを利用して、容器を、床や台上の水平な載置面に置いた場合に、容器を安定させることができる。つまり、植栽壁掛けは、壁掛けとして使用する以外に、床面や台上に載置する等の通常の使用態様にも支障なく対応することができる。
【図面の簡単な説明】
【００３４】
【図１】植栽壁掛け１を右斜め上方から見分解斜視図である。
【図２】（Ａ）は植栽壁掛け１の正面図、（Ｂ）は（Ａ）中のＸ−Ｘ線矢視図、（Ｃ）は植栽壁掛け１の背面図である。
【図３】容器１０の展開図の一例である。
【図４】植栽壁掛け１に植物Ｐを植えた状態を示す、図２（Ｂ）に相当する図である。
【図５】容器１０の貯水部Ｂに底部層４１を設けた例を説明する図である。
【図６】（Ａ）〜（Ｄ）は、スペーサの種々の態様を説明する背面図である。
【図７】４個のユニットＵを容器１０に詰め込んで構成した植栽壁掛け２を右斜め上方から見た斜視図である。
【図８】ユニットＵを説明する斜視図である。
【図９】ボックス６０の展開図である。
【発明を実施するための形態】
【００３５】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３６】
図１〜図４を参照して、本発明を適用した実施形態１の植栽壁掛け１について説明する。ここで、図１は、植栽壁掛け１を右斜め上方から見た分解斜視図である。なお、図１中の上部に矢印で示す前後左右上下は、植栽壁掛け１の前後左右上下の方向を示している。図２（Ａ）は植栽壁掛け１の正面図、（Ｂ）は（Ａ）中のＸ−Ｘ線矢視図、（Ｃ）は植栽壁掛け１の背面図である。また、図３は、容器１０の展開図の一例である。また、図４は、植栽壁掛け１に植物Ｐを植えた状態を示す、図２（Ｂ）に相当する図である。
【００３７】
植栽壁掛け１は、図１，図２に示すように、箱状の容器１０と、この容器１０の内側に詰め込まれた表面層２０と、裏面層３０と、中間層４０と、給水チューブ５０とを備えている。
【００３８】
容器１０は、直方体状（箱状）に形成されていて、図１，図２に示す使用状態（壁面Ｆに掛けて使用されるときの姿勢）において、壁面Ｆに対向する対向板１１と、側板１２（１２ａ，１２ｂ，１２ｃ，１２ｄ）と、縁板１３（１３ａ，１３ｂ，１３ｃ，１３ｄ）とを有している。
【００３９】
対向板１１は、上下方向（縦方向）に長い矩形状に形成されている。対向板１は、その使用状態において、裏面（外面）１１ａが壁面Ｆに対面している。裏面１１ａには、後述するスペーサ１４，１５が固定されている。
【００４０】
側板１２全体は、基端側が対向板１１の周縁に沿って位置するとともに先端側が壁面Ｆから遠ざかる方向（前方）に延びている。すなわち、側板１２全体は、４つの側板１２ａ〜１２ｄ、つまり上の側板１２ａ、下の側板１２ｂ、左の側板１２ｃ、右の側板１２ｄによって構成されていて、それぞれの基端側が対向板１１の上下左右のそれぞれの辺に接続されるとともに、それぞれの先端側が前方に延びるように形成されている。側板１２の先端側には、壁面Ｆから遠ざかる方向に向けて横向き（前向き）に開口する開口部Ｋが形成されている。
【００４１】
縁板１３全体は、側板１２の先端を全周にわたって額縁状に縁取るように形成されている。縁板１３全体は、４つの縁板１３ａ，１３ｂ，１３ｃ，１３ｄによって構成されていて、それぞれ側板１２ａ，１２ｂ，１２ｃ，１２ｄの先端から内側に延びるように（先端を内側に向けて屈曲させるように）形成されている。４つの縁板１３ａ〜１３ｄは、開口部Ｋの開口面積を狭めている。これにより、後述するように容器１０内に詰め込まれた表面層２０、裏面層３０、中間層４０が開口部Ｋから脱落しないようにしている。
【００４２】
上述構成の容器１０は、例えば、厚さｔが１〜２ｍｍ程度のステンレス等の金属板を、図３に示すような形状の展開図に切断し、その後、二点鎖線で示す部分を谷折りとして９０度屈曲させることにより、図１に示す左右の幅Ｗが２０ｃｍ、上下の高さＨが３０〜５０ｃｍ、前後の厚さＴが５ｃｍ、縁板１２の幅Ａが２ｃｍの直方体の箱状に作製することができる。
【００４３】
この際、相互に隣接する２枚の側板１２の継ぎ目や同じく相互に隣接する２枚の縁板１３の継ぎ目は、溶接することで、容器１０全体が水密となるように仕上げられている。これにより、図２（Ｂ）に示す容器１０の下部の縁板１３ｂの幅Ａに対応する部分には、貯水部（水受け）Ｂを設けることができる。この貯水部Ｂは、具体的には、対向板１１及び左右の側板１２ｃ，１２ｄ及び左右の縁板１２ｃ，１２ｄのそれぞれの下部に位置する部分と、下の側板１２ｂと、側板１３ｂとによって囲まれる領域に形成される。
【００４４】
ここで、容器１０は、壁面Ｆに掛けられて使用されることを考慮すると、幅Ｗ及び高さＨに対して、厚さＴを小さく設定して、全体としての重量の増加を抑制するとともに、壁掛けとして邪魔になったり、違和感を与えたりしないようにすることが好ましい。
【００４５】
容器１０の対向板１１の裏面１１ａには、左右方向の中心に、スペーサ１４，１５が取り付けられている。スペーサ１４，１５は、例えば、左右方向に長い板状の金属板（ステンレス板）を屈曲させることによって作製することができる。スペーサ１４，１５は、対向板１１の裏面１１ａに固定された固定部１４ａ，１５ａと、この固定部１４ａ，１５ａの下端から後方に延びる連結部１４ｂ，１５ｂと、この連結部１４ｂ，１５ｂの後端から下方に延びて壁面Ｆに係止される係止部１４ｃ，１５ｃとを有している。
【００４６】
さらに上のスペーサ１４には、図２（ｃ）に示すように、係止部１４ｃに３つの係合孔１４ｄが穿設されている。３つの係合孔１４ｄのうちの１つは、係止部１４ｃの左右方向の中心に穿設され、残りの２つの係合孔１４ｄは中心から左右に振り分けた位置に穿設されている。各係合孔１４ｄは、円形部１４ｅとその上端に連続する、円形部１４ｅの直径よりも幅狭な溝部１４ｆとを有している。係合孔１４ｄは、図２（Ｂ）に示すように、壁面Ｆに突設された係止具１６に係合される。係止具１６は、円形部１４ｅよりもわずかに小さい直径の頭部１６ｄと、溝部１４ｆよりもわずかに幅狭なネック部１６ｆとを有している。
【００４７】
容器１０は、スペーサ１４の中央の１つの係合孔１４ｄを使用して、壁面Ｆに突設された１つの係止具１６に掛けられ、または左右の２個の係合孔１４ｄを使用して、壁面Ｆに突設された２つの係止具１６に掛けられる。上のスペーサ１４の係合孔１４ｄの円形部１４ｅに、係止具１６の頭部１６ｅを挿入し、係合孔１４ｄの溝部１４ｆに、係止具１６のネック部１６ｆを引っ掛けることにより、壁面Ｆに取り付けられる。この状態で、下のスペーサ１５の係止部１５ｃが壁面Ｆに当接されて、対向板１１の裏面１１ａと壁面Ｆとの間に間隙Ｄが形成される。この間隙Ｄとしては、例えば、１ｃｍ程度確保することにより、結露が発生して壁面Ｆを汚染することや、室内温度とは異なる壁面Ｆの熱が不要に容器１０側に伝達されることを防止できる。これにより、容器１０に植えられた植物の温度管理を、室温の調整によって行うことが可能となる。
【００４８】
また、図２（Ｃ）に示すように、上のスペーサ１４及び下のスペーサ１５は、容器１０の重心Ｇを挟んで略上下に振り分けて配置され、また、それぞれ左右方向に長いので、容器１０を、その開口部Ｋを上方に向けた姿勢でスペーサ１４，１５の係止部１４ｃ，１５ｃを床面や台の上面等の水平面に載せるようにすれば、上向きに植物Ｐを栽培する一般的な容器としても安定して使用することができる。
【００４９】
表面層２０及び裏面層３０は、自己保持性、通気性のあるマット状の部材によって形成されている。本実施形態では、表面層２０及び裏面層３０は、例えば、厚さが２ｃｍ程度で、左右の幅が容器１０の左右の幅Ｗと略同じで、上下の長さが容器１０の上下の高さＨの略２倍のものを使用し、上の側板１２ａ側に折り返し部Ｒを設けて連続させるとことで全体で２つ折りに構成されている。
【００５０】
表面層２０及び裏面層３０は、自己保持性、通気性を有する外に、耐水性、耐候性、耐腐食性等を有するとよい。さらに、栽培する植物Ｐの根Ｐａに付いた土壌が、乾燥した状態及び水によって流動しやすい状態であってもその漏洩を防止できる性質を有するとよい。このような性質を有する素材としては、ヤシ繊維，へちま繊維等の天然繊維、合成繊維、あるいはこれらを組み合わせたものがあげられるが、環境の点からは天然繊維が好ましく、さらに、自己保持性の点からは、ヤシ繊維をマット状に形成したもの（以下適宜「ヤシマット」という。）が一層好ましい。ヤシマットは、土木工事において主に土砂の流出を防止する目的で一般的に使用されるものであり、厚さ，密度，大きさ等について種々のものが市販されている。このため、育成する植物Ｐにあった通気性のものや、加工性の難易、容器１０の形状や大きさに応じた詰め込みやすさ、自己保持性の大小について、適宜なものを選択することが可能である。
【００５１】
表面層２０には、植物Ｐを植える部分に切り込み２１を設けて、この切り込み２１をめくるようにして、植物Ｐの根Ｐａを通過させて、この根Ｐａを次に説明する中間層４０に配置するようにしている。
【００５２】
中間層４０は、保水性、通気性を有する部材によって構成されており、表面層２０と裏面層３０との間に、層状に挟持されている。中間層４０としては、種々の土壌を使用することも可能ではあるが、水を遣ったときに流出しにくく、また、保水性に優れることを考慮すると、乾燥水蘚を使用することが好ましい。乾燥水蘚は、繊維が紐状に絡みあっていて、また、その繊維も比較的太いため、濡らした状態で１度貼り付けるとそのまま固まった状態が保持される。また、保水性、浸透性に優れている。さらに、詰め込む量やその際の圧縮状態に応じて、保水可能な保水量を調整できるため、栽培する植物Ｐに好適な保水量を実現しやすいという利点もある。
【００５３】
具体的には、ギュッと握った状態で水に浸して取り出すと乾きやすく、逆に、軽く握った状態で水に浸して取り出すと乾きにくい。また、表面層２０と裏面層３０との間で挟持する際に、たくさんの量のものを圧縮して挟み込むと保水量が少なく、逆に、量を少なくして圧縮力を小さくすると保水量が多くなる。以上のような性質を有する乾燥水蘚は、植栽壁掛け１の中間層４０等として最適である。
【００５４】
ここで、国産の水蘚は保護されていて、大変硬化で入手がかなり困難であるため、例えば、ニュージーランド産、チリ産、中国産等のものが一般に使用される。水蘚の等級は、品質の低い順に、ＡＡ級、ＡＡＡ級、ＡＡＡＡ級まであり、長さによって分けられているが、本実施形態で中間層４０として使用する乾燥水蘚は、ＡＡ級のもので十分である。
【００５５】
上述の表面層２０、裏面層３０、中間層４０は、容器１０に対して、折り返し部Ｒを上に向けた状態で、まず、裏面層３０を、開口部Ｋを介して容器１０内に押し込んで対向板１１の内面を覆うようにして敷く。次に、裏面層３０の上（表面側）に中間層４０を敷きつめる。最後に、開口部Ｋから表面層２０を押し込んで、図１に示すように、その周端縁２０ａ，２０ｂ，２０ｃ，２０ｄが、縁板１３ａ，１３ｂ，１３ｄ，１３ｅの裏面側に適度な弾性をもって係止されるようにする。これにより、表面層２０、裏面層３０、中間層４０が開口部Ｋから脱落することを防止できる。
【００５６】
給水チューブ５０としては、例えば、ビニルチューブを使用することができ、中間層４０に配設されている。給水チューブ５０は、図２（Ａ）に示すように、先端部５１が閉鎖され、中間層４０に配置される中間部５２に水を漏洩させるための複数の切り込み５３（図１（Ａ）ではその一部を図示）が形成され、基端部５４が表面層２０を貫通して外側に露出されて給水口５５となっている。さらに、給水チューブ５０の中間部５２は、中間層４０における植物Ｐの根Ｐａが配置される部分を囲むループ状に形成されていて、複数の切り込み５３が、ループの内側及び外側に、ループに沿って複数形成されていて、切り込み５３から供給される水が、中間層４０における根Ｐａの近傍に効率よく供給されるようになっている。図示例では、ループは、略円形に形成されている。なお、ループとしては、これに限定されるものではなく、例えば、２重３重の円形や、半円形、楕円形等であってもよい。
【００５７】
上述構成の植栽壁掛け１に対して、以下のようにして植物Ｐを植える。なお、以下の説明では、表面層２０及び裏面層３０がヤシマットであり、また、中間層４０が乾燥水蘚（水蘚）である場合を例に説明する。
【００５８】
まず、対象となる植物Ｐを育成用のポット（不図示）から取り出し、根Ｐａに付着している余分な土壌をふるい落とす。なお、根Ｐａにしっかりと付着した土壌はそのままにしておく。根Ｐａを水に浸し、その後、根Ｐａの周りを水蘚で包む。この状態で、表面層２０の切り込み２１をめくるようにして、水蘚で包んだ根を中間層４０に配置する。これにより、図４に示すように、茎Ｐｂが表面層２０を貫通し、植物Ｐは、表面層２０から外側に出ている茎Ｐｂや葉Ｐｃが横（前方）を向いた状態で保持される。これにより、表面層２０は、植物Ｐが植えられた中央部分が外側に（壁面Ｆから遠ざかる方向に）膨らんだ状態となる。給水パイプ５０の位置を修正して、その中間部５２が根Ｐａの周りを囲むようにする。
【００５９】
つづいて、植物Ｐに水を遣る。植物Ｐが植えられた植栽壁掛け１を、開口部Ｋが上を向くように横向きに水平に寝かせて置き、表面層２０側から多めに水を遣る。その後、容器１０を壁面Ｆに掛けるのと同じ縦向きに立てる。すると、中間層４０に含まれなかった余分な水が表面層２０を抜けて外部に排出される。再度、容器１０を水平に寝かせてしばらく放置した後、再度、容器１０を縦向きに立てる。この状態でしばらく放置すると、中間層４０に保持されなかった余分な水が下降して、貯水部Ｂに溜まり、余分な水は、下の縁板１３ｂを超えて外部に排出される。この状態で、容器１０を室内の壁面Ｆに掛けて作業を終了する。
【００６０】
こうして植栽壁掛け１に前向き（横向き）保持された植物Ｐは、通常では見ることのできない面白い成長をする。例えば、植物Ｐが蔦類である場合、成長するに連れて、茎Ｐｂが一旦下方に延び、その後、室内の明かり等に向かって上方に反り返る。つまり、茎Ｐｂが釣り針状に延びる。このような興趣ある形状は、開口部が上を向いた（横置きの）通常の植栽では見ることができない。
【００６１】
上述の植栽壁掛け１には、植物Ｐの種類によって決まる日ごと、例えば、３〜４日ごとに水を遣る。この際、上述のようにして水を遣ることも可能ではあるが、この場合は、植栽壁掛け１全体を壁面Ｆから取り外したり、また、水遣り後に再び掛けたりといった煩雑な作業が必要となる。
【００６２】
これに対し、本実施形態では、別の水遣り方法として、給水チューブ５０を使用した方法が可能である。例えば、オイル挿しのような先の尖ったスポイトを使用して、給水チューブ５０の給水口５５から水を供給する。こうして給水チューブ５０内に供給された水は、チューブ内を巡って、切り込み５３から効率よく、根Ｐａの近傍の中間層（水蘚）４０に供給される。この水遣り方法によると、植栽壁掛け１を壁面Ｆから取り外したり取り付けたりする煩雑な作業を行うことなく、簡単に水を遣ることができる。
【００６３】
以上説明した植栽壁掛け１によると、以下のような作用効果を奏する。
【００６４】
表面層２０及び裏面層３０は自己保持性があるので、中間層４０を挟持した状態で、表面層２０の周端縁２０ａ，２０ｂ，２０ｃ，２０ｄを容器１０の縁板１３ａ，１３ｂ，１３ｃ，１３ｄの裏面側に係止することにより、全体を、つまり表面層２０と裏面層３０と中間層４０とを、壁面Ｆから遠ざかる方向に開口する開口部Ｋから脱落しないように保持することができる。この状態で、植物Ｐを、その根Ｐａが中間層４０に位置し、茎Ｐｂが表面層２０を貫通して葉Ｐｃが前向きの開口部Ｋから突出するように配置することで、容器１０に植物Ｐを前向き（横向き）に植えることができる。
【００６５】
また、植物Ｐの根Ｐａに土壌が付いている場合でも、土壌の付いた根Ｐａを中間層４０で包むことにより、さらに、中間層４０を表面層２０で覆うことにより、土壌が開口部Ｋから落下するのを防止できる。
【００６６】
また、根Ｐａから吸収される水は、保水性を有する中間層４０に保持させることができる。また、水の量が多くて中間層４０で保持しきれなくなった場合でも、容器１０の下部が水密な貯水部Ｂとなっているので、容器１０から漏洩することがない。
【００６７】
このように、植栽壁掛け１は、土壌や水の漏洩を確実に防止できるので、室内の壁掛けとすることができる。また、植物Ｐの根Ｐａを囲む表面層２０，裏面層３０，中間層４０はいずれも通気性を有しているので、植物Ｐの根Ｐａに十分空気を供給することができる。
【００６８】
また、給水チューブ５０が植物Ｐの根Ｐａを囲むようにループ状に配設され、ループの内側と外側とに複数の切り込み５３が形成されているので、給水チューブ５０の給水口５５から水を入れれば、給水された水は、複数の切り込み５３から、根Ｐａの周りの中間層４０に効率よく供給される。つまり、給水チューブ５０を利用することで、植栽壁掛け１を壁面Ｆから取り外すことなく、効率的に水を遣ることができる。
【００６９】
また、表面層２０と裏面層３０とは、上の側板１３ａ側の折返し部Ｒで折り返されて２つ折りにされているので、両者が２枚に分割されている場合と比較して、容器１０内にセットされている表面層２０を容器１０外に引きだす際に、適度な抵抗となるため、突然全体が引き出されるようなことがない。
【００７０】
また、下の側板１３ｂ側に折返し部Ｒを有する場合と比較して、表面層２０を容器１０内に詰め込む際に、表面層２０を、連結された上側から順に下側に向かって押し込むことができるため、作業性を向上させることができる。
【００７１】
図５は、容器１０の貯水部Ｂに底部層４１を設けた例を説明する図である。図５に示すように、容器１０の側部１２ｂの内面側（内側）、つまり貯水部Ｂに、保水性を有する底部層４１を設けて、中間層４０の下端と連続させるとよい。これにより、貯水部Ｂに溜まった水を底部層４１によって保持することができるので、例えば、植栽壁掛け１を取り外す際に傾けたとしても貯水部Ｂから水がこぼれるようなことがない。さらに、底部層４１は、中間層４０の下端に連続されているので、底部層４１に保水した水を中間層４０に供給することができる。この点からも、上述のように、表面層２０と裏面層３０との折返し部Ｒは、上の側板１２ａ側に設けるとよい。仮に、折返し部Ｒが下の側板１２ｂ側にあると、この折り返し部Ｒによって、中間層４０と底部層４１とが分断されるので、底部層４１に保水した水を、中間層４０に供給することができなくなる。なお、底部層４１の材質としては、保水機能があれば、任意のもの（例えば、スポンジ）を使用することが可能であるが、中間層４０を水蘚で構成する場合には、同様に水蘚で構成することが好ましい。
【００７２】
上述構成の植栽壁掛け１は、全体が水密に構成されているので、図１，図２等に示す縦向きの状態から、上下を逆にしたり、あるいは上下と左右とを交換して横長に使用したりしても、下部に位置する縁板１２に対応する部分に、貯水部Ｂを確保することができる。したがって、４つの側部１２ａ〜１２ｄのうちの、どの側部１２が上部に位置するようにしても、土壌や水の漏洩を確実に防止することができる。
【００７３】
図６（Ａ）〜（Ｄ）は、スペーサの種々の態様を説明する背面図である。
【００７４】
例えば、図６（Ａ）に示すように、図２（Ｃ）に示す下のスペーサ１５に代えて、上のスペーサ１４と同様の、係合孔１４ｄを有するスペーサ１４Ａを、重心Ｇに対して、上のスペーサ１４と対称な位置に固定する。これにより、容器１０は、側部１２ａ側と側部１２ｂ側のいずれを上に向けた縦向きでも同様に使用することができる。
【００７５】
また、例えば、図６（Ｂ）に示すように、スペーサ１４と同様に、スペーサ１４Ｂ，１４Ｃを、それぞれ長手方向が側部１２ｃ，１２ｄと平行になるように、重心Ｇに対して振り分けて固定すれば、植栽壁掛けを横向きで、かつ上下を逆にしても同様に使用することができる。
【００７６】
上述の植栽壁掛け１においては、容器１０の大きさが大きくなるに連れて、貯水部（水受け）の大きさを大きくして、貯水量を多くすることが好ましい。上述では、貯水部Ｂの深さに相当する縁板１３ｂの幅Ａを２ｃｍとしたが、例えば、幅Ｗが２０ｃｍ、高さＨが５０ｃｍ、厚さＴが５ｃｍの容器１０においては、縁板１３ｂの幅Ａを４ｃｍ、つまり、貯水部Ｂの深さを４ｃｍにして貯水量を多く確保するようにするとよい。
【００７７】
上述では、植栽壁掛け１を壁面Ｆに掛けて観賞する例を説明したが、これに代えて、イーゼル（デッサンなどで使用するスタンド）などのスタンドに掛けて、観賞するようにしてもよい。
【００７８】
次に、スペーサの変形例について説明する。
【００７９】
図６（Ａ）に示す例では、図１に示す下のスペーサ１５に代えて、上のスペーサ１４と同形の、係合孔１４ｄを有するスペーサ１４Ａを対向板１１の裏面１１ａに固定している。下のスペーサ１４Ａは、上のスペーサ１４とは、上下を逆にして固定している。これにより、容器１０全体を、上下を逆にしても使用することができる。このように構成すれば、容器１０を上下逆さにすることで、同じ植物Ｐであっても、異なる態様として観賞することができる。
【００８０】
図６（Ｂ）に、容器１０を横に倒して横長で使用する例を示す。容器１０を横に倒して、その長手方向が横方向（水平方向）を向くようにし、対向板１１の裏面１１ａに、図６（Ａ）のスペーサ１４，１４Ａと同様のスペーサ１４Ｂ，１４Ｃを、その長手方向が横を向くようにして固定する。この例によると、正面形状が矩形の容器１を横長で使用することができる。なお、図６（Ａ）に示すスペーサ１４，１４Ａと、図６（Ｂ）に示すスペーサ１４Ｂ，１４Ｃとの合計４つを対向板１１の裏面１１ａに固定すれば、植栽壁掛け１は、４つの側部１２ａ〜１２ｄのうちのいずれが上部に位置する向きでも同様に使用することができる。
【００８１】
また、例えば、図６（Ｃ）に示すように、図６（Ｂ）のスペーサ１４Ｂ，１４Ｃに代えて、それぞれの両端に位置する係合孔１４ｇに、それぞれ外側を向いた溝部１４ｈを追加したスペーサ１４Ｄ，１４Ｅを使用すれば、スペーサ１４Ｄの右端の係合孔１４ｇとスペーサ１４Ｅの右端の係合孔１４ｇのそれぞれの溝部１４ｈを使用することで、側部１２ａ側を上にした縦向きに取り付けることができる。さらに、この逆に、スペーサ１４Ｄの左端の係合孔１４ｇとスペーサ１４Ｅの左端の係合孔１４ｇのそれぞれの溝部１４ｈ（不図示）を使用することで、側部１２ｂ側を上にした縦向きに取り付けることができる。
【００８２】
以上の説明では、容器１０の正面形状が矩形である場合を例に説明したが、矩形に限らず、正方形，三角形，六角形，八角形等の任意の角型、さらには、角型に限らず、円形，楕円形、ハート形、さらにはこれらを組み合わせた形状とすることができる。なお、容器１０の正面形状が正方形である場合には、例えば、図６（Ｄ）に示すように、対向板１１の裏面１１ａに、図６（Ａ）のスペーサ１４と同様にスペーサ１４を、重心Ｇを囲む正八角状に８個、固定することにより、側部１２ａ〜１２ｄのうちの任意の側部が上方に位置するように壁面Ｆに掛けることができる上、さらに、これらから４５度傾斜させた状態でも掛けることができ、見た目を大きく変化させることができる。ただし、正面形状が矩形以外の場合には、これらの形状に合わせて表面層２０，裏面層３０，中間層４０を構成するものとする。
【００８３】
また、以上では、容器１０において、側板１２が対向板１１に対して、直角に前方に延びる例を説明したが、これに代えて、所定の角度をもって前方に延びるように構成することも可能である。例えば、所定の角度を９０度を超えるように設定して側部１２が外側に傾斜するようにすれば、容器１０を前広がりに構成することができ、逆に、９０度未満に設定して側部１２が内側に傾斜するようにすれば、容器１０を前狭まりに構成することができる。
【００８４】
上述では、容器１０は、金属板を使用して水密に構成する例を説明したが、容器１０の材質としては、水密に構成することが可能であるのを条件に、金属板の外に、合成樹脂，防水加工を施した木材等、他の任意の材質を使用することも可能である。ただし、室内の壁掛けとして使用することを考慮すると、軽くて丈夫で、インテリアとして見栄えがいいものが好ましい。
＜実施形態２＞
【００８５】
図７〜図９を参照して、本発明を適用した実施形態２の植栽壁掛け２を説明する。このうち、図７は、４個のユニットＵを容器１０に詰め込んで構成した植栽壁掛け２を右斜め上方から見た斜視図である。なお、図７では、給水チューブ５０及び切り込み６２ｂの図示は省略している。図８は、ユニットＵを説明する斜視図である。図９は、ボックス６０の展開図である。
【００８６】
実施形態１では、容器１０に対して、表面層２０，裏面層３０，中間層４０を個別に詰め込む例を説明したが、本実施形態２では、これに代えて、表面層２０，裏面層３０，中間層４０をあらかじめユニット化し、このユニットＵに植物Ｐを植えた状態で、容器１０に嵌め込む例を説明する。なお、以下の説明では、図７に示すように、容器１０は、その正面形状が正方形で、左右の幅Ｗ及び上下の高さＨが２０ｃｍであり、前後の厚さＴが５ｃｍである場合、さらに、表面層２０及び裏面層３０がヤシマットで構成され、中間層４０が水蘚で構成されている場合を例に説明する。
【００８７】
ユニットＵは、図８に示すように、ボックス６０と、中間層４０と、給水チューブ５０とによって構成されている。ボックス６０は、ヤシマットＭを、例えば、図９に示す展開図の形状に切断し、二点鎖線で示す部分を谷折りにして屈曲させて、必要に応じて隣接する壁部を縫い合わせることにより、壁部６１〜６５と、これら壁部６１〜６５によって構成された開口部Ｌと、この開口部Ｌを閉鎖する開閉自在な扉６６とによって構成されている。ボックス６０の内側には、直方体状の空間が形成されていて、この空間には、中間層（水蘚）４０が充填されている。このボックス６０においては、壁部６２が表面層２０に対応し、また、壁部６３が裏面層３０に対応している。壁部６２には、開口部Ｌから奥側に延びる切り込み６２ａが形成され、また、給水チューブ５０の、給水口５５を有する基端部５４を貫通させるための切り込み６２ｂが形成されている。なお、給水チューブ５０としては、実施形態１の給水チューブ５０と同様のものを使用することができる。植物Ｐは、茎Ｐｂが切り込み６２ａに挿入されることで、その根（不図示）が中間層４０に配置され、葉Ｐｃが壁部６２から前向きに突出するように配置される。
【００８８】
ユニット６０は、扉６６を閉じた状態で、容器１０の開口部Ｋから内側に詰め込まれる。図示例では、それぞれのユニットＵが、その長手方向を左右方向に向け、かつ、植物Ｐを前方に向けた状態で、容器１０内に、上下方向に４個並べて詰め込まれている。
植栽壁掛け２は、本実施形態においても、土壌や水の漏洩を確実に防止することができるので、室内の壁掛けとして使用することができる。
【００８９】
さらに、本実施形態の植栽壁掛け２によると、ユニットＵごとに、成長具合の異なる同種の植物Ｐを植えたり、色や形状の異なる種類の植物Ｐを植えたりすることで、植物Ｐの種々の変化を楽しむことができる。また、ユニットＵの位置を交換することによっても簡単に、植物Ｐ全体のようすを変えることができる。さらに、例えば、植物Ｐが枯れた場合には、その枯れた植物ＰのユニットＵのみを交換し、他のユニットＵはそのまま使用することができるので交換作業が容易で、また経済的である。
【符号の説明】
【００９０】
１  実施形態１の植栽壁掛け
２  実施形態２の植栽壁掛け
１０  容器
１１  対向板
１２  側板
１２ａ  上の側板
１２ｂ  下の側板
１２ｃ  左の側板
１２ｄ  右の側板
１３  縁板
１３ａ  上の縁板
１３ｂ  下の縁板
１３ｃ  左の縁板
１３ｄ  右の縁板
１４，１４Ａ〜１４Ｅ  スペーサ
１６  係止具
２０  表面層
２０ａ，２０ｂ，２０ｃ，２０ｄ  表面層の周端縁
２１  切り込み
３０  裏面層
４０  中間層
４０ａ  中間層の下端
４１  底部層
５０  給水チューブ
５１  給水チューブの先端部
５２  給水チューブの中間部
５３  切り込み
５４  給水チューブの基端部
５５  給水口
Ｂ  貯水部
Ｄ  間隙
Ｆ  壁面
Ｇ  重心
Ｋ  開口部
Ｐ  植物
Ｐａ  植物の根
Ｐｂ  植物の茎
Ｐｃ  植物の葉
Ｒ  折り返し部
【図１】
2011087479.tif 000003
【図２】
2011087479.tif 000004
【図３】
2011087479.tif 000005
【図４】
2011087479.tif 000006
【図５】
2011087479.tif 000007
【図６】
2011087479.tif 000008
【図７】
2011087479.tif 000009
【図８】
2011087479.tif 000010
【図９】
2011087479.tif 000011